(57)【要約】【課題】映像表示装置において、表示画面のアスペクト比に合わせて映像信号を変換する際に付加されるブランク領域を、より趣向性に富んだ表示にする。【解決手段】テレビジョン受像機１００において、信号付加手段（例えば、ＣＰＵ１２２、付加信号生成部８、信号付加プログラム１２４ｄ等）により、映像信号に基づく映像領域の周囲に額縁状に形成されたブランク領域が、映像領域に近づくに連れて輝度が高くなるグラデーション画像となるような付加信号を映像信号に付加し、さらに、輝度検出手段（例えば、ＣＰＵ１２２、輝度検出部５、輝度検出プログラム１２４ｃ等）により、映像信号の１フィールド毎の映像領域の平均輝度を検出し、検出される平均輝度とブランク領域における映像領域との境界部分の輝度とが所定の輝度差となるように、付加するグラデーション画像の輝度を調整する。【選択図】図２
2007150502.tif 000002
【特許請求の範囲】
【請求項１】
サイドパネルを有する１６：９のアスペクト比の映像信号を受信して、当該映像信号に基づく映像を、アスペクト比が４：３である表示画面に表示可能な映像表示装置において、
前記映像信号に基づく映像領域の周囲に額縁状に形成されたブランク領域が、前記映像領域に近づくに連れて輝度が高くなるグラデーション画像となるような付加信号を前記映像信号に付加する信号付加手段と、
前記映像信号の１フィールド毎の前記映像領域の平均輝度を検出する輝度検出手段と、を備え、
前記信号付加手段は、前記輝度検出手段により検出される平均輝度と前記ブランク領域における前記映像領域との境界部分の輝度とが所定の輝度差となるように、付加するグラデーション画像の輝度を調整することを特徴とする映像表示装置。
【請求項２】
表示画面のアスペクト比と異なるアスペクト比の映像信号を受信して、当該映像信号に基づく映像を前記表示画面に表示可能な映像表示装置において、
前記表示画面には、前記映像を表示する映像領域と、前記映像領域と隣接するブランク領域とが形成され、
前記映像信号に、前記ブランク領域が、予め設定された模様画像となるような付加信号を付加する信号付加手段と、
を備えることを特徴とする映像表示装置。
【請求項３】
前記信号付加手段は、
前記ブランク領域が、前記映像領域に近づくに連れて輝度が高くなるグラデーション画像となるような付加信号を付加することを特徴とする請求項２に記載の映像表示装置。
【請求項４】
前記映像信号の１フィールド毎の前記映像領域の平均輝度を検出する輝度検出手段を備え、
前記信号付加手段は、前記輝度検出手段により検出される平均輝度と前記ブランク領域における前記映像領域との境界部分の輝度とが所定の輝度差となるように、付加するグラデーション画像の輝度を調整することを特徴とする請求項３に記載の映像表示装置。
【請求項５】
前記信号付加手段により前記映像信号に付加される付加信号における模様の色相、彩度及び輝度の少なくとも何れか一つを設定する設定手段を備えることを特徴とする請求項２又は３に記載の映像表示装置。
【請求項６】
前記表示画面のアスペクト比は４：３であり、
受信される前記映像信号は、サイドパネルを有する１６：９のアスペクト比の映像信号であり、
前記信号付加手段は、
前記映像信号に基づく前記映像領域の周囲に額縁状に形成されたブランク領域に対応する付加信号を付加することを特徴とする請求項２〜５の何れか一項に記載の映像表示装置。
【発明の詳細な説明】
【技術分野】
【０００１】
本発明は、映像表示装置に関する。
【背景技術】
【０００２】
従来から行われているＮＴＳＣ放送は、テレビジョン受像機の表示画面のアスペクト比（横縦比）が４：３となるように構成されている。これに対して、近年、その普及が図られているハイビジョン放送は、表示画面のアスペクト比が１６：９となるよう構成されており、これらのアスペクト比の異なる映像信号を受信して表示可能な映像表示装置において、表示画面のアスペクト比に合わせて映像信号を変換する際に生じる種々の問題を解決するために、様々な技術が開発されている。
【０００３】
例えば、特許文献１には、アスペクト比１６：９のワイドアスペクトカラーテレビにおいて、アスペクト比４：３の映像信号を受信する際、１フィールドの画面全体の輝度信号の平均値を求め、当該平均輝度レベルに応じて、ブランキング期間においてブランキングレベルを適応的に変動させることにより、ブランキングレベルが視覚的に目立たないようにするための適応型ブランキングレベル信号発生回路が開示されている。
また、特許文献２には、縦横比４：３の表示画面に、表示画像サイズを垂直方向に縮小して、縦横比１６：９の画像を表示するモードのときに、映像信号の上部と下部に灰色信号を挿入させるとともに、挿入された灰色信号の輝度値を、映像信号の平均輝度値に連動させ、また、縦横比１６：９の表示画面に、表示画像サイズを水平方向に縮小して、縦横比４：３の画像を表示するモードのときに、映像信号の左端部と右端部に灰色信号を挿入させると共に、挿入された灰色信号の輝度値を、映像信号の平均輝度値に連動させることにより、表示素子の蛍光体の発光特性劣化により生じる画像領域と無画像領域との境界線を検知し難くする映像機器及び映像表示方法が開示されている。
さらに、特許文献３には、入力画像のアスペクト比と画面アスペクト比が異なる場合に、入力された映像の左右両側、または上下両側にブランクを付加して、表示装置の画面アスペクト比と同じアスペクト比の映像を生成する際、入力映像に付加するブランクの輝度を、入力映像におけるブランクとの境界部分の輝度に応じて調整して、境界付近における輝度の差を抑えることにより、入力された映像と付加するブランクとの境界付近における歪みを防止する映像出力装置が開示されている。
【特許文献１】特開平５−５６３７３号公報
【特許文献２】特開２００１−７８１１３号公報
【特許文献３】特開２００４−１５９０８１号公報
【発明の開示】
【発明が解決しようとする課題】
【０００４】
しかしながら、上記特許文献１〜３に開示された技術を始めとして、従来開示されている技術は、高圧レギュレーションの影響の緩和等により映像信号を適切に表示するための技術であり、実際に映像を見るユーザの観点から十分な提案がなされてきたとは言えない。
例えば、４：３のアスペクト比を持つ表示画面に、アスペクト比４：３の映像信号の左右両側にサイドパネルと呼ばれるブランク領域（無画領域）を付加してアスペクト比を１６：９に変換した映像信号を表示する際、画面上には、当該サイドパネルと、アスペクト比４：３の表示画面に１６：９のアスペクト比の映像信号を表示させるために映像信号の上部及び下部に付加されるレターボックスと呼ばれるブランク領域と、から構成される額縁状のブランク領域（以下、額縁領域と称する。）が表示されることがある。ユーザは、サイドパネル及びレターボックスから構成される当該額縁領域に囲まれた映像を見ることとなるため、額縁領域は、視覚的に非常に重要な領域と言える。しかしながら、これまで当該額縁領域を始めとするブランク領域は、単に灰色に表示されるだけだったので、趣向性の乏しいものであった。
【０００５】
本発明の課題は、表示画面のアスペクト比と異なるアスペクト比の映像信号を表示可能な映像表示装置において、表示画面のアスペクト比に合わせて映像信号を変換する際に付加されるブランク領域を、より趣向性に富んだ表示にすることである。
【課題を解決するための手段】
【０００６】
以上の課題を解決するため、請求項１に記載の発明は、サイドパネルを有する１６：９のアスペクト比の映像信号を受信して、当該映像信号に基づく映像を、アスペクト比が４：３である表示画面に表示可能な映像表示装置において、
前記映像信号に基づく映像領域の周囲に額縁状に形成されたブランク領域が、前記映像領域に近づくに連れて輝度が高くなるグラデーション画像となるような付加信号を前記映像信号に付加する信号付加手段と、
前記映像信号の１フィールド毎の前記映像領域の平均輝度を検出する輝度検出手段と、を備え、
前記信号付加手段は、前記輝度検出手段により検出される平均輝度と前記ブランク領域における前記映像領域との境界部分の輝度とが所定の輝度差となるように、付加するグラデーション画像の輝度を調整することを特徴とする。
【０００７】
請求項２に記載の発明は、表示画面のアスペクト比と異なるアスペクト比の映像信号を受信して、当該映像信号に基づく映像を前記表示画面に表示可能な映像表示装置において、
前記表示画面には、前記映像を表示する映像領域と、前記映像領域と隣接するブランク領域とが形成され、
前記映像信号に、前記ブランク領域が、予め設定された模様画像となるような付加信号を付加する信号付加手段と、
を備えることを特徴とする。
【０００８】
請求項３に記載の発明は、請求項２に記載の映像表示装置において、前記信号付加手段は、
前記ブランク領域が、前記映像領域に近づくに連れて輝度が高くなるグラデーション画像となるような付加信号を付加することを特徴とする。
【０００９】
請求項４に記載の発明は、請求項３に記載の映像表示装置において、前記映像信号の１フィールド毎の前記映像領域の平均輝度を検出する輝度検出手段を備え、
前記信号付加手段は、前記輝度検出手段により検出される平均輝度と前記ブランク領域における前記映像領域との境界部分の輝度とが所定の輝度差となるように、付加するグラデーション画像の輝度を調整することを特徴とする。
なお、上記１フィールドとは、１画面分の映像信号をいう。
【００１０】
請求項５に記載の発明は、請求項２又は３に記載の映像表示において、前記信号付加手段により前記映像信号に付加される付加信号における模様の色相、彩度及び輝度の少なくとも何れか一つを設定する設定手段を備えることを特徴とする。
【００１１】
請求項６に記載の発明は、請求項２〜５の何れか一項に記載の映像表示装置において、前記表示画面のアスペクト比は４：３であり、
受信される前記映像信号は、サイドパネルを有する１６：９のアスペクト比の映像信号であり、
前記信号付加手段は、
前記映像信号に基づく前記映像領域の周囲に額縁状に形成されたブランク領域に対応する付加信号を付加することを特徴とする。
【発明の効果】
【００１２】
請求項１に記載の発明によれば、信号付加手段により、映像領域の周囲に額縁状に形成されたブランク領域が、映像領域に近づくに連れて輝度が高くなるグラデーション画像となるような付加信号が映像信号に付加されるので、表示画面のアスペクト比と異なるアスペクト比の映像信号を表示可能な映像表示装置において、表示画面のアスペクト比に合わせて映像信号を変換する際に付加される額縁状に形成されたブランク領域を、より趣向性に富んだ表示にすることができる。
また、信号付加手段により、映像領域に近づくに連れて輝度が高くなるグラデーション画像となるような付加信号が付加されるので、ユーザは、映像領域が額縁状に形成されたブランク領域から立体的に浮き出たように視覚することとなって、より臨場感のある映像を楽しむことができるとともに、高圧レギュレーションの影響を緩和して映像信号を適切に表示することができる。
また、信号付加手段により、輝度検出手段により検出される映像領域の平均輝度とブランク領域における映像領域との境界部分の輝度とが所定の輝度差となるように、付加するグラデーション画像の輝度が調整されるので、ブランク領域が映像領域に比べて極端に明るくなったり、暗くなることがなく、より見易い表示にすることができる。
【００１３】
請求項２に記載の発明は、信号付加手段により、映像信号に、ブランク領域が、予め設定された模様画像となるような付加信号が付加されるので、表示画面のアスペクト比と異なるアスペクト比の映像信号を表示可能な映像表示装置において、表示画面のアスペクト比に合わせて映像信号を変換する際に付加されるブランク領域を、より趣向性に富んだ表示にすることができる。
【００１４】
請求項３に記載の発明は、請求項２に記載の発明の効果が得られるのは無論のこと、信号付加手段により、ブランク領域が、映像領域に近づくに連れて輝度が高くなるグラデーション画像となるような付加信号が付加されるので、ユーザは、映像領域がブランク領域から立体的に浮き出たように視覚することとなって、より臨場感のある映像を楽しむことができるとともに、高圧レギュレーションの影響を緩和して映像信号を適切に表示することができる。
【００１５】
請求項４に記載の発明は、請求項３に記載の発明の効果が得られるのは無論のこと、信号付加手段により、輝度検出手段により検出される映像領域の平均輝度とブランク領域における映像領域との境界部分の輝度とが所定の輝度差となるように、付加するグラデーション画像の輝度が調整されるので、ブランク領域が映像領域に比べて極端に明るくなったり、暗くなることがなく、より見易い表示にすることができる。
【００１６】
請求項５に記載の発明は、請求項２又は３に記載の発明の効果が得られるのは無論のこと、設定手段により、信号付加手段により映像信号に付加される付加信号における模様の色相、彩度及び輝度の少なくとも何れか一つを設定することができるので、よりユーザの嗜好に合った映像表示装置を提供することができる。
【００１７】
請求項６に記載の発明は、請求項２〜５の何れか一項に記載の発明の効果が得られるのは無論のこと、信号付加手段は、映像信号に基づく映像領域の周囲に額縁状に形成されたブランク領域に対応する付加信号を付加するので、映像領域の周囲に形成される額縁状のブランク領域を趣向性に富んだ表示にすることとなって、よりユーザの嗜好に合った映像表示装置を提供することができる。
【発明を実施するための最良の形態】
【００１８】
以下、本発明の実施の形態を、図面を参照しながら詳細に説明する。
なお、本実施形態は、映像表示装置としてテレビジョン受像機を用いて説明する。
【００１９】
（実施形態１）
本実施形態１におけるテレビジョン受像機１００は、アスペクト比が４：３の表示画面１１ｃ（図２参照）を有しており、放送局から発信される４：３のアスペクト比の映像信号を受信して、当該映像信号に基づく映像を表示画面１１ｃに表示させるとともに、１６：９のアスペクト比の映像信号を受信して４：３のアスペクト比の表示画面１１ｃに表示可能に変換し、当該映像信号に基づく映像を表示画面１１ｃに表示させる処理を行う。
【００２０】
例えば、図１は、本実施形態１におけるアスペクト比が４：３の表示画面１１ｃに表示される映像を例示した図である。図１（ａ）は、アスペクト比が４：３である当該表示画面１１ｃに、４：３のアスペクト比の映像信号に基づく映像を表示させた場合の表示であり、４：３のアスペクト比の映像信号に基づく映像が表示される映像領域Ｔｐは表示画面１１ｃ全体に表示されることとなる。
また、図１（ｂ）は、アスペクト比が４：３である表示画面１１ｃに、１６：９のアスペクト比の映像信号に基づく映像を表示させた場合の表示であり、１６：９のアスペクト比の映像信号に基づく映像領域Ｔｐの上端部及び下端部に隣接するように、ブランク領域（以下、１６：９のアスペクト比の映像信号の上端部及び下端部に付加されるブランク領域をレターボックスと称する。）Ｌｂ１，Ｌｂ２が付加されることとなる。
さらに、図１（ｃ）は、アスペクト比が４：３である表示画面１１ｃに、４：３のアスペクト比の映像信号の左端部及び右端部にブランク領域（以下、１６：９のアスペクト比の映像信号の左端部及び右端部に付加されたブランク領域をサイドパネルと称する。）Ｓｄ１、Ｓｄ２が付加され、アスペクト比が１６：９に変換された映像信号に基づく映像を表示させた場合の表示であり、映像領域Ｔｐの周囲に、レターボックスＬｂ１、Ｌｂ２及びサイドパネルＳｄ１、Ｓｄ２から成る額縁状のブランク領域（以下、額縁領域或いは額縁状に形成されたブランク領域と称する。）Ｆｐが形成されることとなる。
【００２１】
図２は、本実施形態１のテレビジョン受像機１００の要部構成を示すブロック図である。  
図２に示すように、本実施形態１のテレビジョン受像機１００は、例えば、放送信号を受信するアンテナ（図示省略）と、アンテナにより入力された所定の周波数の放送信号を選局するチューナ部（図示省略）と、チューナ部により選局された放送信号を復調する復調部（図示省略）と、復調部により復調された映像信号を増幅する増幅部（図示省略）と、増幅部において増幅された映像信号が入力される映像入力端子１と、映像入力端子１から入力された映像信号から同期信号を分離する同期分離回路２と、同期分離回路２により分離された同期信号が入力されるアスペクト比検出部３と、映像入力端子１から入力された１６：９のアスペクト比の映像信号において、サイドパネルＳｄ１、Ｓｄ２が付加されているか否かを検出するサイドパネル検出部４と、１フィールド毎の映像領域Ｔｐの映像信号の平均輝度を検出する輝度検出手段としての輝度検出部５と、アスペクト比検出部３、サイドパネル検出部４及び輝度検出部５による検出結果に基づく制御部１２からの制御によって切替信号Ｓｗを生成する切替信号生成部６と、同期分離回路２により分離された同期信号が入力される偏向駆動部７と、付加信号を生成する信号付加手段としての付加信号生成部８と、切替信号生成部６から入力される切替信号Ｓｗに基づいて、映像入力端子１又は付加信号生成部８からの入力に切り替えるための切替部９と、切替部９から入力される映像信号及び付加信号に所定の処理を行う映像処理部１０と、映像信号に基づいて映像を表示させる受像部１１と、テレビジョン受像機１００全体を統括制御する制御部１２と、各部を接続する制御バス１３と、を備えて構成されている。
【００２２】
アンテナは、例えば、屋外において所定の方向に向けて配置されており、図示しないテレビジョン放送局から発信される高周波（ＲＦ）の放送信号を受信する。テレビジョン放送局から送信される当該放送信号の映像信号は、その垂直帰線期間内に、当該映像信号のアスペクト比が４：３であるか、或いは１６：９であるかを識別するためのパイロット信号Ｐｓが多重化されている。
チューナ部は、制御部１２からの制御信号に応じて、アンテナで受信された放送信号から、特定周波数帯の放送信号を取り出し、当該放送信号を所定の中間周波数を有する中間周波（ＩＦ）信号に変換して、復調部に出力する。
復調部は、チューナ部から入力された中間周波信号を増幅するとともに、映像中間周波信号と音声中間周波信号とに分離して、当該分離により得られた映像中間周波信号を検波し、映像信号を取り出して、増幅部に供給する。
増幅部は、復調部において検波された映像信号を増幅するとともに、周波数特性、画面の明るさ、コントラスト等の調整を行い、切替部９及び同期分離回路２に出力する。
【００２３】
同期分離回路２は、増幅部から映像入力端子１を介して入力される映像信号から、垂直同期信号及び水平同期信号を取り出し、それぞれを偏向駆動部７に出力するとともに、アスペクト比検出部３に出力する。
具体的には、同期分離回路２は、例えば、同期信号と映像信号との振幅の差を利用して、トランジスタのカットオフ特性により映像信号を切り取る処理等により、垂直同期信号及び水平同期信号を取り出す。
【００２４】
アスペクト比検出部３は、同期分離回路２により入力された同期信号に基づいて、映像信号の垂直帰線期間内に多重されているパイロット信号Ｐｓを取り出し、当該パイロット信号Ｐｓに基づいて、映像信号のアスペクト比が４：３であるか、或いは１６：９であるかを検出する。そして、当該アスペクト比の検出結果を、制御バス１３を介して制御部１２に出力する。
【００２５】
サイドパネル検出部４は、１６：９のアスペクト比の映像信号の入力が検出された場合に、１フィールド毎の映像信号において、サイドパネルＳｄ１、Ｓｄ２が付加されているか否かを検出し、当該サイドパネルＳｄ１、Ｓｄ２の検出結果を、制御バス１３を介して制御部１２に出力する。
具体的には、サイドパネル検出部４は、アスペクト比検出部３により１６：９のアスペクト比の映像信号が検出された場合に、サイドパネルＳｄ１、サイドパネルＳｄ２、映像領域Ｔｐのそれぞれに該当する領域における輝度信号の平均値を、１フィールド毎の映像信号のデータから算出する。そして、サイドパネルＳｄ１に該当する領域の平均輝度値とサイドパネルＳｄ２に該当する領域の平均輝度値とを比較し、所定の許容範囲内で同じであれば、さらにサイドパネルＳｄ１或いはサイドパネルＳｄ２に該当する領域の平均輝度値と、映像領域Ｔｐに該当する領域の平均輝度値を比較する。そして、サイドパネルＳｄ１或いはサイドパネルＳｄ２に該当する領域の平均輝度値と、映像領域Ｔｐに該当する領域の平均輝度値とが所定の許容範囲以上異なり、当該検出が連続した所定のフィールド数においてなされると、当該映像信号を、サイドパネルＳｄ１、Ｓｄ２を有する１６：９のアスペクト比の映像信号であると検出して、当該検出結果を制御部１２に出力する。
【００２６】
輝度検出部５は、１６：９のアスペクト比の映像信号が入力された場合に、当該映像信号に基づいて、１フィールド毎の映像領域Ｔｐの映像信号の平均輝度を検出し、当該検出結果を、制御バス１３を介して制御部１２に出力する。
具体的には、輝度検出部５は、アスペクト比検出部３により１６：９のアスペクト比の映像信号が検出された場合に、当該映像信号における映像領域Ｔｐの平均輝度値を検出して、当該平均輝度値を所定のレベル（例えば、レベル１〜１０の１０段階）で示し、所定のレベルで示される当該平均輝度値の検出結果を、制御部１２に出力する。
【００２７】
偏向駆動部７は、制御部１２からの制御に従い、同期分離回路２から入力された垂直同期信号及び水平同期信号に基づいて、垂直偏向信号及び水平偏向信号を生成し、受像部１１における偏向制御を行う。
具体的には、偏向駆動部７は、例えば、受像部１１に備わる図示しない水平及び垂直の偏向コイルに、同期分離回路２から入力された水平同期信号及び垂直同期信号に基づくのこぎり波電流を流し、それにより発生する磁界によって電子銃１１ａから発射される電子ビームの上下及び左右方向を制御する。
【００２８】
付加信号生成部８は、制御部１２からの制御に従い、サイドパネルＳｄ１、Ｓｄ２を有する１６：９のアスペクト比の映像信号に基づく映像領域Ｔｐの周囲に、輝度検出部５により検出された映像領域Ｔｐの平均輝度と額縁領域Ｆｐにおける映像領域Ｔｐとの境界部分の輝度とが所定の輝度差となるように、映像領域Ｔｐに近づくに連れて輝度が高くなるグラデーション画像（模様画像）となるような額縁領域Ｆｐを形成するための付加信号を生成する。
具体的には、例えば、アスペクト比検出部３により１６：９のアスペクト比の映像信号が検出され、さらに、サイドパネル検出部４により、当該映像信号においてサイドパネルＳｄ１，Ｓｄ２が検出された場合に、映像領域Ｔｐの上端部及び下端部に隣接して付加するレターボックスＬｂ１、Ｌｂ２と、当該サイドパネルＳｄ１、Ｓｄ２と、から構成される額縁領域Ｆｐが、映像領域Ｔｐに近づくに連れて輝度が輝度検出部５により検出された映像領域Ｔｐの平均輝度に近くなるグラデーション画像となり、さらに、輝度検出部５により検出された映像領域Ｔｐの平均輝度と額縁領域Ｆｐにおける映像領域Ｔｐとの境界部分の輝度とが所定の輝度差（例えば、レベル１の輝度差）となるような付加信号を形成する。例えば、輝度検出部５により映像領域Ｔｐの平均輝度値がレベル８（ここで、最も高い輝度値をレベル１０、最も低い輝度値をレベル１で示すものとする。）と検出された場合に、付加信号生成部８は、映像領域Ｔｐに最も近い領域の輝度値がレベル７、映像領域Ｔｐに最も遠い領域の輝度値がレベル１になるようなグラデーション画像の額縁領域Ｆｐを形成するための付加信号を生成する。
【００２９】
また、付加信号生成部８は、サイドパネルＳｄ１、Ｓｄ２を有さない１６：９のアスペクト比の映像信号に基づく映像領域Ｔｐの上端部及び下端部に隣接するように、輝度検出部５により検出された映像領域Ｔｐの平均輝度とレターボックスＬｂ１、Ｌｂ２における映像領域Ｔｐとの境界部分の輝度とが所定の輝度差となるように、映像領域Ｔｐに近づくに連れて輝度が高くなるグラデーション画像となるようなレターボックスＬｂ１、Ｌｂ２を形成するための付加信号を生成する。
具体的には、例えば、アスペクト比検出部３により１６：９のアスペクト比の映像信号が検出され、さらに、サイドパネル検出部４により、当該映像信号においてサイドパネルＳｄ１、Ｓｄ２が検出されなかった場合に、映像領域Ｔｐの上端部及び下端部に隣接して付加されるレターボックスＬｂ１、Ｌｂ２が、映像領域Ｔｐに近づくに連れて輝度が輝度検出部５により検出された映像領域Ｔｐの平均輝度に近くなるグラデーション画像となり、さらに、輝度検出部５により検出された映像領域Ｔｐの平均輝度とレターボックスＬｂ１、Ｌｂ２における映像領域Ｔｐとの境界部分の輝度とが所定の輝度差（例えば、レベル１の輝度差）となるような付加信号を生成する。例えば、輝度検出部５により映像領域Ｔｐの平均輝度値がレベル６と検出された場合に、付加信号生成部８は、映像領域Ｔｐに最も近い領域の輝度値がレベル５、映像領域Ｔｐに最も遠い領域の輝度値がレベル１になるようなグラデーション画像のレターボックスＬｂ１、Ｌｂ２を形成するための付加信号を生成する。
【００３０】
切替信号生成部６は、アスペクト比検出部３、サイドパネル検出部４及び輝度検出部５による検出結果や、同期分離回路２から入力される水平同期信号及び垂直同期信号に基づく制御部１２による制御によって、切替信号Ｓｗを生成し、切替部９に供給する。
具体的には、アスペクト比検出プログラム１２４ａの実行により、１６：９のアスペクト比の映像信号が検出され、サイドパネル検出プログラム１２４ｂの実行により、当該映像信号にサイドパネルＳｄ１、Ｓｄ２が付加されていると検出された場合に、切替信号生成部６は、映像領域Ｔｐの上端部及び下端部に隣接するのレターボックスＬｂ１、Ｌｂ２の区間及び映像領域Ｔｐの左端部及び右端部に隣接するサイドパネルＳｄ１、Ｓｄ２の区間については、切替部９において第２入力端子９ｂに切替接続するための切替信号Ｓｗ２（例えば、「Ｈ」レベルの切替信号）を生成し、その他の区間については、第１入力端子９ａに切替接続するための切替信号Ｓｗ１（例えば、「Ｌ」レベルの切替信号）を生成する。
また、アスペクト比検出プログラム１２４ａの実行により、１６：９のアスペクト比の映像信号が検出され、サイドパネル検出プログラム１２４ｂの実行により、当該映像信号にサイドパネルＳｄ１、Ｓｄ２が付加されていないと検出された場合に、切替信号生成部６は、映像領域Ｔｐの上端部及び下端部に隣接するレターボックスＬｂ１、Ｌｂ２の区間については、切替部９において第２入力端子９ｂに切替接続するための切替信号Ｓｗ２を生成し、その他の区間については、第１入力端子９ａに切替接続するための切替信号Ｓｗ１を生成する。
【００３１】
切替部９は、切替信号生成部６から入力される切替信号Ｓｗに基づいて、映像入力端子１又は付加信号生成部８からの入力に切り替える切替処理を行う。
具体的には、切替部９は、第１入力端子９ａ及び第２入力端子９ｂを備え、切替信号Ｓｗ１に基づいて切替接続した第１入力端子９ａにより、映像入力端子１から入力される映像信号が入力されるとともに、切替信号Ｓｗ２に基づいて切替接続した第２入力端子９ｂにより、付加信号生成部８から入力される付加信号が入力されて、映像処理部１０に出力されることとなる。
【００３２】
映像処理部１０は、切替部９における第１入力端子９ａから入力される映像信号に対して色信号再生処理を行うとともに，切替部９における第２入力端子９ｂから入力される付加信号に対して所定の処理を行う。
具体的には、映像処理部１０は、切替部９における第１入力端子９ａから映像信号が入力されると、当該映像信号を輝度信号と搬送色信号に分離して各々を増幅し、搬送色信号から色差信号を再生する。そして、色差信号と輝度差信号とを合成して、受像部１１を駆動するために必要な赤（Ｒ）緑（Ｇ）青（Ｂ）の色信号を生成する。
また、映像処理部１０は、切替部９における第２入力端子９ｂから付加信号生成部８において生成された付加信号が入力されると、当該付加信号に増幅、色信号再生処理等の所定の処理を行い、受像部１１を駆動するために必要なＲＧＢの色信号を生成する。
【００３３】
受像部１１は、電子銃１１ａと、蛍光面１１ｂと、表示画面１１ｃと、等を備えて構成されている。電子銃１１ａは、ＲＧＢの三つの電子銃１１ａから構成されており、当該電子銃１１ａから発射される電子ビームが、電子ビームの衝撃を受けて発光する結晶粒から成る蛍光面１１ｂに、偏向駆動部７による制御によって衝突することにより、映像処理部１０により入力されたＲＧＢの色信号に基づく映像が表示画面１１ｃに表示される。
【００３４】
制御部１２は、Ｉ／Ｏポート１２１と、ＣＰＵ（Central Processing Unit）１２２と、メモリ部１２３と、ＲＯＭ（Read Only Memory）１２４と、等を備えて構成されている。
【００３５】
ＣＰＵ１２２は、テレビジョン受像機１００の各部から制御バス１３及びＩ／Ｏポート１２１を介して入力された入力信号に応じて、ＲＯＭ１２４に格納された各種プログラムを実行するとともに、Ｉ／Ｏポート１２１及び制御バス１３を介して各部に制御信号を出力することにより、テレビジョン受像機１００の動作全般を統括制御する。
【００３６】
メモリ部１２３は、図示しないＲＡＭ（Random Access Memory）を備え、ＣＰＵ１２２によって各種プログラムが実行される際に生じる処理結果や、入力されたデータを一時的に記憶する。
【００３７】
ＲＯＭ１２４は、例えば、アスペクト比検出プログラム１２４ａ、サイドパネル検出プログラム１２４ｂ、輝度検出プログラム１２４ｃ及び信号付加プログラム１２４ｄ等の各種プログラムを格納している。
【００３８】
アスペクト比検出プログラム１２４ａは、例えば、ＣＰＵ１２２に、アスペクト比検出部３において、同期分離回路２により入力された同期信号に基づいて、映像信号の垂直帰線期間内に多重されているパイロット信号Ｐｓを取り出し、当該パイロット信号Ｐｓに基づいて、映像信号のアスペクト比が４：３であるか、或いは１６：９であるかを検出する機能を実現させるプログラムである。
【００３９】
サイドパネル検出プログラム１２４ｂは、例えば、ＣＰＵ１２２に、サイドパネル検出部４において、１６：９のアスペクト比の映像信号の入力が検出された場合に、１フィールド毎の映像信号において、サイドパネルＳｄ１，Ｓｄ２が付加されているか否かを検出する機能を実現させるプログラムである。
【００４０】
輝度検出プログラム１２４ｃは、例えば、ＣＰＵ１２２に、輝度検出部５において、１６：９のアスペクト比の映像信号が入力された場合に、当該映像信号に基づいて、１フィールド毎の映像信号の平均輝度を検出する機能を実現させるプログラムである。
ＣＰＵ１２２は、かかる輝度検出プログラム１２４ｃを実行することにより、輝度検出部５とともに輝度検出手段として機能する。
【００４１】
信号付加プログラム１２４ｄは、例えば、ＣＰＵ１２２に、輝度検出プログラム１２４ｃの実行により検出された平均輝度と額縁領域Ｆｐにおける映像領域Ｔｐとの境界部分の輝度とが所定の輝度差となるように、付加信号生成部８において生成した、映像領域Ｔｐに近づくに連れて輝度が高くなるグラデーション画像となるような付加信号を、サイドパネルＳｄ１、Ｓｄ２を有する１６：９のアスペクト比の映像信号に付加することにより、当該映像信号に基づく映像領域Ｔｐの周囲に額縁領域Ｆｐを形成する機能を実現させるプログラムである。
また、信号付加プログラム１２４ｄは、ＣＰＵ１２２に、輝度検出プログラム１２４ｃの実行により検出された平均輝度とレターボックスＬｂ１、Ｌｂ２における映像領域Ｔｐとの境界部分の輝度とが所定の輝度差となるように、付加信号生成部８において生成した、映像領域Ｔｐに近づくに連れて輝度が高くなるグラデーション画像となるような付加信号を、サイドパネルＳｄ１、Ｓｄ２を有さない１６：９のアスペクト比の映像信号に付加することにより、当該映像信号に基づく映像領域Ｔｐの上端部及び下端部に隣接するように、レターボックスＬｂ１、Ｌｂ２を形成する機能を実現させるプログラムである。
ＣＰＵ１２２は、かかる信号付加プログラム１２４ｄを実行することにより、付加信号生成部８とともに、信号付加手段として機能する。
【００４２】
図３は、テレビジョン受像機１００において、受信した映像信号にＣＰＵ１２２によるアスペクト比検出プログラム１２４ａ、サイドパネル検出プログラム１２４ｂ、輝度検出プログラム１２４ｃ及び信号付加プログラム１２４ｄ等の実行による各種処理が行われ、当該映像信号に基づいて表示画面１１ｃに表示された映像を例示する図である。
図３（ａ）に示す映像は、例えば、アスペクト比検出プログラム１２４ａの実行により、１６：９のアスペクト比の映像信号が検出され、サイドパネル検出プログラム１２４ｂの実行により、当該映像信号にサイドパネルＳｄ１、Ｓｄ２が付加されていると検出された場合に、輝度検出プログラム１２４ｃの実行により、当該映像信号の映像領域Ｔｐの平均輝度がレベル８と検出されると、信号付加プログラム１２４ｄの実行により、付加信号生成部８において生成された映像領域Ｔｐに最も近い領域の輝度がレベル７且つ映像領域Ｔｐに最も遠い領域の輝度がレベル１のグラデーション画像となるような付加信号が、切替信号生成部６から入力される切替信号Ｓｗに基づいて切替部９が第２入力端子９ｂに適宜切替されることにより、映像信号に付加されて、額縁領域Ｆｐが形成された場合の表示である。
また、図３（ｂ）に示す映像は、例えば、アスペクト比検出プログラム１２４ａの実行により、１６：９のアスペクト比の映像信号が検出され、サイドパネル検出プログラム１２４ｂの実行により、当該映像信号にサイドパネルＳｄ１、Ｓｄ２が付加されていないと検出された場合に、輝度検出プログラム１２４ｃの実行により、当該映像信号の映像領域Ｔｐの平均輝度がレベル６と検出されると、信号付加プログラム１２４ｄの実行により、付加信号生成部８において生成された映像領域Ｔｐに最も近い領域の輝度がレベル５且つ映像領域Ｔｐに最も遠い領域の輝度がレベル１のグラデーション画像となるような付加信号が、切替信号生成部６から入力される切替信号Ｓｗに基づいて切替部９が第２入力端子９ｂに適宜切替されることにより、映像信号に付加されて、レターボックスＬｄ１、Ｌｄ２が形成された場合の表示である。
【００４３】
以上説明した本発明にかかる実施形態１のテレビジョン受像機１００によれば、ＣＰＵ１２２による信号付加プログラム１２４ｄの実行により、映像領域Ｔｐの周囲に額縁状に形成されたブランク領域Ｆｐが、映像領域Ｔｐに近づくに連れて輝度が高くなるグラデーション画像となるような付加信号が映像信号に付加されるので、表示画面１１ｃのアスペクト比と異なるアスペクト比の映像信号を表示可能な映像表示装置において、表示画面１１ｃのアスペクト比に合わせて映像信号を変換する際に付加される額縁状に形成されたブランク領域Ｆｐを、より趣向性に富んだ表示にすることができる。
また、ＣＰＵ１２２による信号付加プログラム１２４ｄの実行により、映像領域Ｔｐに近づくに連れて輝度が高くなるグラデーション画像となるような付加信号が付加されるので、ユーザは、映像領域Ｔｐが額縁状に形成されたブランク領域Ｆｐから立体的に浮き出たように視覚することとなって、より臨場感のある映像を楽しむことができるとともに、高圧レギュレーションの影響を緩和して映像信号を適切に表示することができる。
また、ＣＰＵ１２２による信号付加プログラム１２４ｄの実行により、輝度検出プログラム１２４ｃにより検出される映像領域Ｔｐの平均輝度と額縁状に形成されたブランク領域Ｆｐにおける映像領域Ｔｐとの境界部分の輝度とが所定の輝度差となるように、付加するグラデーション画像の輝度が調整されるので、額縁状に形成されたブランク領域Ｆｐが映像領域Ｔｐに比べて極端に明るくなったり、暗くなることがなく、より見易い表示にすることができる。
【００４４】
（実施形態２）
次に、本発明にかかる実施形態２のテレビジョン受像機２００について説明する。
なお、本説明において、実施形態１と同一部分には同一符号を付し、異なる部分についてのみ説明を行うものとする。
【００４５】
図４は、本実施形態２のテレビジョン受像機２００の要部構成を示すブロック図である。  
図４に示すように、本実施形態２のテレビジョン受像機２００は、例えば、放送信号を受信するアンテナ（図示省略）と、アンテナにより入力された所定の周波数の放送信号を選局するチューナ部（図示省略）と、チューナ部により選局された放送信号を復調する復調部（図示省略）と、復調部により復調された映像信号を増幅する増幅部（図示省略）と、増幅部において増幅された映像信号が入力される映像入力端子１と、映像入力端子１から入力された映像信号から同期信号を分離する同期分離回路２と、同期分離回路２により分離された同期信号が入力されるアスペクト比検出部３と、映像入力端子１から入力された１６：９のアスペクト比の映像信号において、サイドパネルＳｄ１、Ｓｄ２が付加されているか否かを検出するサイドパネル検出部４と、アスペクト比検出部３及びサイドパネル検出部４による検出結果に基づく制御部１２からの制御によって切替信号Ｓｗを生成する切替信号生成部６と、同期分離回路２により分離された同期信号が入力される偏向駆動部７と、付加信号を生成する信号付加手段としての付加信号生成部２１と、切替信号生成部６から入力される切替信号Ｓｗに基づいて、映像入力端子１又は付加信号生成部２１からの入力に切り替えるための切替部９と、切替部９から入力される映像信号及び付加信号に所定の処理を行う映像処理部１０と、映像信号に基づいて映像を表示させる受像部２２と、テレビジョン受像機２００全体を統括制御する制御部２３と、ユーザが各種指示を遠隔操作によって入力するための設定手段としての入力装置２４と、各部を接続する制御バス１３と、を備えて構成されている。
【００４６】
付加信号生成部２１は、制御部２３からの制御に従い、サイドパネルＳｄ１、Ｓｄ２を有する１６：９のアスペクト比の映像信号に基づく映像領域Ｔｐの周囲に、設定プログラム２３４ａの実行により設定された付加信号における模様の色相、彩度及び輝度の設定に基づいて、映像領域Ｔｐに近づくに連れて輝度が高くなるグラデーション画像となるような額縁領域Ｆｐを形成するための付加信号を生成する。
具体的には、例えば、アスペクト比検出部３により１６：９のアスペクト比の映像信号が検出され、さらに、サイドパネル検出部４により、当該映像信号においてサイドパネルＳｄ１，Ｓｄ２が検出された場合に、映像領域Ｔｐの上端部及び下端部に付加するレターボックスＬｂ１、Ｌｂ２と、当該サイドパネルＳｄ１、Ｓｄ２と、から構成される額縁領域Ｆｐが、設定プログラム２３４ａの実行により設定された付加信号における模様の色相、彩度及び輝度の設定に基づいて、映像領域Ｔｐに近づくに連れて輝度が高くなるグラデーション画像となるような付加信号を形成する。例えば、設定プログラム２３４ａの実行により、輝度値がレベル９と設定された場合に、付加信号生成部２１は、映像領域Ｔｐに最も近い領域の輝度値がレベル９、映像領域Ｔｐに最も遠い領域の輝度値がレベル１になるようなグラデーション画像の額縁領域Ｆｐを形成するための付加信号を生成する。
【００４７】
また、付加信号生成部２１は、サイドパネルＳｄ１、Ｓｄ２を有さない１６：９のアスペクト比の映像信号に基づく映像領域Ｔｐの上端部及び下端部に隣接するように、設定プログラム２３４ａの実行により設定された付加信号における模様の色相、彩度及び輝度の設定に基づいて、映像領域Ｔｐに近づくに連れて輝度が高くなるグラデーション画像となるようなレターボックスＬｂ１、Ｌｂ２を形成するための付加信号を生成する。
具体的には、例えば、アスペクト比検出部３により１６：９のアスペクト比の映像信号が検出され、さらに、サイドパネル検出部４により、当該映像信号においてサイドパネルＳｄ１、Ｓｄ２が検出されなかった場合に、映像領域Ｔｐの上端部及び下端部に隣接して付加されるレターボックスＬｂ１、Ｌｂ２が、設定プログラム２３４ａの実行により設定された付加信号における模様の色相、彩度及び輝度の設定に基づいて、映像領域Ｔｐに近づくに連れて輝度が高くなるグラデーション画像となるような付加信号を生成する。例えば、設定プログラム２３４ａの実行により、輝度値がレベル３と設定された場合に、付加信号生成部２１は、映像領域Ｔｐに最も近い領域の輝度値がレベル３、映像領域Ｔｐに最も遠い領域の輝度値がレベル１になるようなグラデーション画像のレターボックスＬｂ１、Ｌｂ２を形成するための付加信号を生成する。
【００４８】
受像部２２は、電子銃１１ａと、蛍光面１１ｂと、表示画面２２ａと、等を備えて構成されている。電子銃１１ａは、ＲＧＢの三つの電子銃１１ａから構成されており、当該電子銃１１ａから発射される電子ビームが、電子ビームの衝撃を受けて発光する結晶粒から成る蛍光面１１ｂに、偏向駆動部７による制御によって衝突することにより、映像処理部１０により入力されたＲＧＢの色信号に基づく映像が表示画面２２ａに表示される。
また、表示画面２２ａには、後述する設定プログラム２３４ａの実行に際して、信号付加プログラム２３４ｄの実行により、映像信号に付加される付加信号における模様の色相、彩度及び輝度をユーザに設定させるためのメニュー画面（図５参照）が表示される。
【００４９】
制御部２３は、Ｉ／Ｏポート２３１と、ＣＰＵ（Central Processing Unit）２３２と、メモリ部２３３と、ＲＯＭ（Read Only Memory）２３４と、等を備えて構成されている。
【００５０】
ＣＰＵ２３２は、テレビジョン受像機２００の各部から制御バス１３及びＩ／Ｏポート２３１を介して入力された入力信号に応じて、ＲＯＭ２３４に格納された各種プログラムを実行するとともに、Ｉ／Ｏポート２３１及び制御バス１３を介して各部に制御信号を出力することにより、テレビジョン受像機２００の動作全般を統括制御する。
【００５１】
メモリ部２３３は、図示しないＲＡＭ（Random Access Memory）を備え、ＣＰＵ２３２によって各種プログラムが実行される際に生じる処理結果や、入力されたデータを当該ＲＡＭに一時的に記憶するとともに、図示しない不揮発性メモリを備え、設定プログラム２３４ａの実行により設定された付加信号における模様の色相、彩度及び輝度の設定を当該不揮発性メモリに記憶する。
【００５２】
ＲＯＭ２３４は、例えば、設定プログラム２３４ａ、アスペクト比検出プログラム２３４ｂ、サイドパネル検出プログラム２３４ｃ及び信号付加プログラム２３４ｄ等の各種プログラムを格納している。
【００５３】
設定プログラム２３４ａは、例えば、ＣＰＵ２３２に、信号付加プログラム２３４ｄの実行に際して、映像信号に付加される付加信号における模様の色相、彩度及び輝度をユーザに設定させる機能を実現させるプログラムである。
具体的には、図５に示すように、表示画面２２ａに表示されるメニュー画面に基づいて、付加信号における模様の色相、彩度及び輝度（色合い、色の濃さ、明るさ）を設定するための操作入力信号が、ユーザによる入力装置２４の操作によりＣＰＵ２３２に出力されると、ＣＰＵ２３２は、当該操作入力信号に基づく設定をメモリ部２３３に記録させ、以後の信号付加プログラム２３４ｄの実行に際して、付加信号生成部２１において、メモリ部２３３に格納された当該設定に基づく付加信号が生成されて、映像信号に付加されることとなる。ここで、当該メニュー画面に基づいて設定されたＲＧＢの配分による色合いが、ブランク領域におけるグラデーション画像の色彩を決定することとなるとともに、設定された輝度のレベルが、ブランク領域における最も輝度の高い領域の輝度を決定することとなる。
ＣＰＵ２３２は、かかる設定プログラム２３４ａを実行することにより、入力装置２４とともに設定手段として機能する。
【００５４】
アスペクト比検出プログラム２３４ｂは、例えば、ＣＰＵ２３２に、アスペクト比検出部３において、同期分離回路２により入力された同期信号に基づいて、映像信号の垂直帰線期間内に多重されているパイロット信号Ｐｓを取り出し、当該パイロット信号Ｐｓに基づいて、映像信号のアスペクト比が４：３であるか、或いは１６：９であるかを検出する機能を実現させるプログラムである。
【００５５】
サイドパネル検出プログラム２３４ｃは、例えば、ＣＰＵ２３２に、サイドパネル検出部４において、１６：９のアスペクト比の映像信号の入力が検出された場合に、１フィールド毎の映像信号において、サイドパネルＳｄ１、Ｓｄ２が付加されているか否かを検出する機能を実現させるプログラムである。
【００５６】
信号付加プログラム２３４ｄは、例えば、ＣＰＵ２３２に、設定プログラム２３４ａの実行により設定された模様の色相、彩度及び輝度の設定に基づいて、付加信号生成部２１において生成した、映像領域Ｔｐに近づくに連れて輝度が高くなるグラデーション画像となるような付加信号を、サイドパネルＳｄ１、Ｓｄ２を有する１６：９のアスペクト比の映像信号に付加し、当該映像信号に基づく映像領域Ｔｐの周囲に額縁領域Ｆｐを形成する機能を実現させるプログラムである。
また、信号付加プログラム２３４ｄは、例えば、ＣＰＵ２３２に、設定プログラム２３４ａの実行により設定された模様の色相、彩度及び輝度の設定に基づいて、付加信号生成部２１において生成した、映像領域Ｔｐに近づくに連れて輝度が高くなるグラデーション画像となるような付加信号を、サイドパネルＳｄ１、Ｓｄ２を有さない１６：９のアスペクト比の映像信号に付加し、当該映像信号に基づく映像領域Ｔｐの上端部及び下端部にレターボックスＬｂ１、Ｌｂ２を形成する機能を実現させるプログラムである。
ＣＰＵ２３２は、かかる信号付加プログラム２３４ｄを実行することにより、付加信号生成部２１とともに、信号付加手段として機能する。
【００５７】
図６は、テレビジョン受像機２００において、受信した映像信号に、ＣＰＵ２３２による設定プログラム２３４ａ、アスペクト比検出プログラム２３４ｂ、サイドパネル検出プログラム２３４ｃ及び信号付加プログラム２３４ｄ等の実行による各種処理が行われ、当該映像信号に基づいて、表示画面２２ａに表示された映像を例示する図である。
図６（ａ）に示す映像は、例えば、アスペクト比検出プログラム２３４ｂの実行により、１６：９のアスペクト比の映像信号が検出され、サイドパネル検出プログラム２３４ｃの実行により、当該映像信号にサイドパネルＳｄ１、Ｓｄ２が付加されていると検出された場合に、設定プログラム２３４ａの実行によりメモリ部２３３に格納された付加信号における模様の色相、彩度及び輝度の設定に基づいて（例えば、映像領域Ｔｐに隣接する部分の輝度がレベル５）、信号付加プログラム２３４ｄの実行により、付加信号生成部２１において生成した映像領域Ｔｐに近づくに連れて輝度が高くなるグラデーション画像となるような付加信号が、切替信号生成部６から入力される切替信号Ｓｗに基づいて切替部９が第２入力端子９ｂに適宜切替されることにより、映像信号に付加されて、額縁領域Ｆｐが形成された場合の表示である。
また、図６（ｂ）に示す映像は、例えば、アスペクト比検出プログラム２３４ｂの実行により、１６：９のアスペクト比の映像信号が検出され、サイドパネル検出プログラム２３４ｃの実行により、当該映像信号にサイドパネルＳｄ１、Ｓｄ２が付加されていないと検出された場合に、設定プログラム２３４ａの実行によりメモリ部２３３に格納された付加信号における模様の色相、彩度及び輝度の設定に基づいて（例えば、映像領域Ｔｐに隣接する部分の輝度がレベル３）、信号付加プログラム２３４ｄの実行により、付加信号生成部２１において生成した映像領域Ｔｐに近づくに連れて輝度が高くなるグラデーション画像となるような付加信号が、切替信号生成部６から入力される切替信号Ｓｗに基づいて切替部９が第２入力端子９ｂに適宜切替されることにより、映像信号に付加されて、レターボックスＬｂ１、Ｌｂ２が形成された場合の表示である。
【００５８】
以上説明した本発明にかかる実施形態２のテレビジョン受像機２００によれば、ＣＰＵ２３２による信号付加プログラム２３４ｄの実行により、映像領域Ｔｐの周囲に額縁状に形成されたブランク領域Ｆｐが、映像領域Ｔｐに近づくに連れて輝度が高くなるグラデーション画像となるような付加信号が映像信号に付加され、また、当該付加されるグラデーション画像は、設定プログラム２３４ａの実行により設定された模様の色相、彩度及び輝度に基づいて調整されるので、表示画面２２ａのアスペクト比と異なるアスペクト比の映像信号を表示可能な映像表示装置において、表示画面２２ａのアスペクト比に合わせて映像信号を変換する際に付加される額縁状に形成されたブランク領域Ｆｐを、趣向性に富んだ表示にすることができ、ユーザの嗜好に合った映像表示装置を提供することができる。
また、ＣＰＵ２３２による信号付加プログラム２３４ｄの実行により、映像領域Ｔｐに近づくに連れて輝度が高くなるグラデーション画像となるような付加信号が付加されるので、ユーザは、映像領域Ｔｐが額縁状に形成されたブランク領域Ｆｐから立体的に浮き出たように視覚することとなって、より臨場感のある映像を楽しむことができるとともに、高圧レギュレーションの影響を緩和して映像信号を適切に表示することができる。
【００５９】
なお、本発明は、上記実施の形態に限定されることなく、本発明の趣旨を逸脱しない範囲において種々の改良並びに設計の変更を行ってもよい。
例えば、本実施形態は、レベル１〜レベル１０の１０段階で示される輝度のレベルが、レベル間の輝度差が固定的に定められた例を用いて説明したが、レベル間の輝度差が変動して、常時輝度のレベルが１０段階のグラデーション画像となる設計であってもよい。
また、映像表示装置はテレビジョン受像機１００、２００に限られず、映像を表示するものであれば良く、例えば、携帯電話機等であってもよい。
また、例えば、設定プログラム２３４ａの実行により設定可能なのは、模様の色相、彩度及び輝度に限られることなく、コントラスト等であってもよい。
また、表示画面２２ａのアスペクト比は４：３に限られることなく、１６：９等であってもよく、さらに、映像信号のアスペクト比も１６：９に限られることなく、シネスコサイズ等であってもよい。
また、サイドパネル検出部４は、映像領域Ｔｐの右端部及び左端部のサイドパネルＳｄ１、Ｓｄ２の領域の輝度が等しく、且つサイドパネルＳｄ１、Ｔｓｌ２領域と映像領域Ｔｐの輝度が等しくない場合にサイドパネルＳｄ１、Ｓｄ２が付加されているものと判断したが、サイドパネル検出方法はこれに限られることなく、例えば、サイドパネル領域全体の輝度値がある閾値より小さい場合にサイドパネルが付加されていると判断する方法であってもよく、また、サイドパネル領域において静止画を検出する方法であってもよい。
【図面の簡単な説明】
【００６０】
【図１】実施形態１におけるアスペクト比が４：３の表示画面に表示される映像を例示した図である。
【図２】実施形態１のテレビジョン受像機の要部構成を示すブロック図である。
【図３】実施形態１における、アスペクト比検出プログラム、サイドパネル検出プログラム、輝度検出プログラム及び信号付加プログラムの実行により、表示画面に表示された映像を例示する図である。
【図４】実施形態２のテレビジョン受像機の要部構成を示すブロック図である。
【図５】設定プログラムの実行により表示画面に表示されたメニュー画面を例示する図である。
【図６】実施形態２における、設定プログラム、アスペクト比検出プログラム、サイドパネル検出プログラム及び信号付加プログラムの実行により、表示画面に表示された映像を例示する図である
【符号の説明】
【００６１】
１００、２００      テレビジョン受像機（映像表示装置）
８、２１            付加信号生成部（信号付加手段）
１１ｃ、２２ａ      表示画面
１２２、２３２      ＣＰＵ（輝度検出手段、信号付加手段、設定手段）
１２４ｃ            輝度検出プログラム（輝度検出手段）
１２４ｄ、２３４ｄ  信号付加プログラム（信号付加手段）
２３４ａ            設定プログラム（設定手段）
２４                入力装置（設定手段）
【図１】
2007150502.tif 000003
【図２】
2007150502.tif 000004
【図４】
2007150502.tif 000005
【図５】
2007150502.tif 000006
【図３】
2007150502.tif 000007
【図６】
2007150502.tif 000008